(57)【特許請求の範囲】
【請求項１】
乾式試金分析を連続的に行う自動溶解装置であって、乾式試金分析の貴金属試料を入れるルツボ、ルツボ内の試料を溶解する溶解炉、試料を入れたルツボを溶解炉に装入し又は溶解炉から取り出すアーム装置を有し、上記溶解炉は、環状に形成されており、回転自在な円形の炉底部と、該炉底部を回動する手段と、該炉底部を覆う環状トンネルを形成するハウジング部を有しており、
上記アーム装置には回動自在なアームと該アーム先端のチャック手段が設けられており、
環状トンネルの炉内には加熱手段が一定間隔ごとに設けられ、炉内温度が乾式試金分析の試料を加熱する複数の温度ゾーンになるように形成されており、
溶解炉に装入されたルツボが炉内を通過する間に上記試料が加熱溶解されて溶解炉から取り出されることを特徴とする自動溶解装置。
【請求項２】
炉内の温度ゾーンが乾式試金分析の貴金属試料を溶解するための加熱条件に段階的に制御される請求項１に記載する自動溶解装置。
【請求項３】
ルツボに乾式試金分析の試料粉末と共に酸化鉛、硼砂、および添加剤が装入され、溶解炉の環状トンネル内を移送される間にルツボ内の試料が加熱溶融される請求項１または請求項２に記載する自動溶解装置。
【請求項４】
乾式試金分析の試料が入ったルツボを上記チャック手段によって把持すると共に上記アームの回動によって溶解炉に装入し、ルツボが炉内を通過する間に乾式試金分析の試料を加熱溶解し、炉内を通過したルツボを上記チャック手段によって把持し、上記アームの回動によって溶解炉から取り出す請求項１〜請求項３の何れかに記載する自動溶解装置。
【発明の詳細な説明】
【技術分野】
【０００１】
本発明は、乾式試金分析の試料を入れた複数のルツボを連続的に自動溶解することができる自動溶解装置に関する。より詳しくは、本発明は、乾式試金分析の試料を入れたルツボを加熱する溶解炉に炉内の移送手段を設けると共に、溶解炉にルツボを出し入れする手段とを設け、複数のルツボを連続的に溶解炉内に装入して自動的に溶解することができる溶解装置に関する。
【背景技術】
【０００２】
金属試料を加熱処理する溶解炉として各種形式のものが従来知られている。例えば、特許文献１には細長い炉内に搬送ローラを設け、ローラの軸受けに水冷ジャケットを設けたローラハース式真空迂炉が開示されている。また、特許文献２には、例えば連続鋳造設備のローラハース加熱炉において、ファーネスローラに冷却手段を設けた炉構造が開示されている。また、特許文献３には還元鉄製造用ロータリーハース型炉において、排ガスの熱を回収して熱効率を高める炉構造が開示されている。
【先行技術文献】
【特許文献】
【０００３】
【特許文献１】特許第２８６０９９８号公報
【特許文献２】特開２００２−１７２４５３号公報
【特許文献３】特開平１１−２２２６１７号公報
【発明の概要】
【発明が解決しようとする課題】
【０００４】
従来の上記加熱炉は搬送ローラの熱負荷を軽減し、あるいは熱効率を高める試みがなされているが、何れも炉内部の構造に関するものであり、被処理物を炉内に装入し、または炉内から取り出す手段については記載されておらず、被処理物の炉内への装入から炉内での加熱、および炉内からの取り出しに至る一連の動作を連続して制御する技術構成は示されていない。
【０００５】
本発明は、従来の加熱炉における上記問題を解決したものであり、ルツボを加熱する溶解炉と共に、炉内の移送手段、溶解炉にルツボを出し入れする手段を設け、被処理物の炉内への装入から加熱および炉内からの取り出しに至る一連の動作を連続して行うことができるようにし、複数のルツボを連続的に溶解炉内に装入して乾式試金分析の試料を自動的に溶解することができる自動溶解装置を提供する。
【課題を解決するための手段】
【０００６】
本発明は、以下の構成からなる、乾式試金分析の貴金属試料の自動溶解装置に関する。
〔１〕乾式試金分析を連続的に行う自動溶解装置であって、乾式試金分析の貴金属試料を入れるルツボ、ルツボ内の試料を溶解する溶解炉、試料を入れたルツボを溶解炉に装入し又は溶解炉から取り出すアーム装置を有し、上記溶解炉は、環状に形成されており、回転自在な円形の炉底部と、該炉底部を回動する手段と、該炉底部を覆う環状トンネルを形成するハウジング部を有しており、
上記アーム装置には回動自在なアームと該アーム先端のチャック手段が設けられており、
環状トンネルの炉内には加熱手段が一定間隔ごとに設けられ、炉内温度が乾式試金分析の試料を加熱する複数の温度ゾーンになるように形成されており、
溶解炉に装入されたルツボが炉内を通過する間に上記試料が加熱溶解されて溶解炉から取り出されることを特徴とする自動溶解装置。
〔２〕炉内の温度ゾーンが乾式試金分析の貴金属試料を溶解するための加熱条件に段階的に制御される上記[１]に記載する自動溶解装置。
〔３〕ルツボに乾式試金分析の試料粉末と共に酸化鉛、硼砂、および添加剤が装入され、溶解炉の環状トンネル内を移送される間にルツボ内の試料が加熱溶融される上記[１]または請上記[２]に記載する自動溶解装置。
〔４〕乾式試金分析の試料が入ったルツボを上記チャック手段によって把持すると共に上記アームの回動によって溶解炉に装入し、ルツボが炉内を通過する間に乾式試金分析の試料を加熱溶解し、炉内を通過したルツボを上記チャック手段によって把持し、上記アームの回動によって溶解炉から取り出す上記[１]〜上記[３]の何れかに記載する自動溶解装置。
【発明の効果】
【０００７】
本発明の自動溶解システムは、環状トンネルの炉内には加熱手段が一定間隔ごとに設けられ、炉内温度が乾式試金分析の試料を加熱する複数の温度ゾーンになるように形成されており、ルツボが炉内を移送する間に乾式試金分析の試料が加熱されるので加熱温度にムラができない。因みに、ルツボが移送されない溶解炉では発熱体に近いほど温度が高くなるなど炉内の加熱ムラが生じることがある。一方、本発明の自動溶解装置では溶解炉の加熱が均一であるので、乾式試金分析において鉛ボタンが確実に製造され、精度の良い分析結果を得ることができる。
【０００８】
本発明の自動溶解装置では、例えば、乾式試金分析の試料粉末と共に酸化鉛、硼砂、添加剤および鉄材を入れて、ルツボが炉内を移送される間に乾式試金分析の試料を溶解し、ルツボの装入から加熱および取り出しに至る一連の動作を連続して行うようにすれば、灰吹法による金の分析を効率よく実施することができる。
【０００９】
また、本発明の自動溶解装置では、ルツボを加熱する溶解炉と共に、炉内の移送手段、溶解炉にルツボを出し入れする手段を有するので、ルツボの装入から加熱および取り出しに至る一連の動作を連続して行うことができ、複数のルツボを連続的に溶解炉内に装入して自動的に溶解することができる。従って、乾式試金分析試料の溶解作業を簡略化することができると共に作業効率を大幅に高めることができる。
【００１０】
本発明の自動溶解装置は、例えば、上記溶解炉が環状に形成されており、その搬入口と搬出口とが上記アーム装置のアーム回動範囲内になるように一台の上記アーム装置を設置し、該アーム装置にルツボの装入手段と取出手段とを兼用させることができるので、装置構成がコンパクトであり、限られた作業場所においても設置することができ、限られた作業空間を有効に利用することができる。
【００１１】
本発明の自動溶解装置は、例えば、回動自在な円形の炉底部と、該炉底部を回動する手段と、該炉底部を覆う環状トンネル状の固定ハウジング部と、炉内を加熱する手段とを設け、ルツボを炉底部の回動によって炉内を移送する構成を有することができ、この構成によれば駆動手段が炉内に設置されないので、駆動手段の熱負担が少なく、耐久性の良い自動溶解システムを形成することができる。
【００１２】
本発明の自動溶解装置において、アーム装置は、例えば、上下左右に回動自在な縦アームとこれに連結した横アームとによって形成することができ、該アームの回動範囲内にルツボの搬入工程と搬出工程とを接続することによって、一台のアーム装置によって一連の動作を行うことができ、効率よく連続的な自動溶解作業を実施することができる。
【００１３】
本発明の自動溶解装置は、例えば、試料を入れた複数のルツボを上記アーム装置によって一定間隔ごとに溶解炉に連続して装入し、ルツボが炉内を通過する間に試料を加熱溶解し、試料が溶解したルツボを上記アーム装置によって連続的に溶解炉から順次取り出す連続自動溶解を実施することができる。
【００１４】
本発明の自動溶解装置は、連続的に試料を溶解するので溶解時間が待ち時間にならず、ルツボの処理数を大幅に増やすことができる。具体的には、従来、ルツボの処理数が２２００個であるものを、３３００個程度に処理数を増やすことができる。さらに、本発明の自動溶解システムは、一連の操作をすべて自動化することができるので、鉛を扱う作業環境に人員が直接立ち入らなくとも作業を進めることができる。
【発明を実施するための形態】
【００１５】
以下、本発明を図面に示す実施例に基づいて具体的に説明する。
本発明の自動溶解装置の一例を図１〜図６に示す。図示する装置構成において、円形の溶解炉２０と、該溶解炉２０にルツボを出し入れするアーム装置３０とが設けられている。該アーム装置３０の周りにルツボの搬入部４０と搬出部４１とがおのおの設置されている。
【００１６】
図２〜図４に示すように、該溶解炉２０は、回動自在な円形の炉底部２１と、該炉底部２１を覆う環状トンネルを形成するハウジング部２２と有している。炉底部２１は円形の台座２１Ａと、該台座２１Ａの上面に設けた耐火材の炉材２１Ｂによって形成されている。さらに該台座２１Ａの外周面には該台座２１Ａを回動する手段２１Ｃが設けられている。図示する例では回動手段２１Ｃのチェーンが台座２１Ａの外周に巻着されている。該チェーン２１Ｃは駆動手段（図示省略）に連結されており、該チェーン２１Ｃを移動して上記台座２１Ａが中心軸周りに回動される。
【００１７】
上記炉底部２１の上部にハウジング部２２が設けられている。該ハウジング部２２は支柱２２Ｆによって固定支持されている。該ハウジング部２２は炉底部２１の上部を覆う環状トンネル２２Ａを形成している。ハウジング部２２の外周部２２Ｄの下端は台座２１Ａの外側に伸びており、台座２１Ａとハウジング部２２との間には隙間２２Ｅが設けられている。該隙間２２Ｅを通じて外部の空気が自然対流によって炉内に流入できるように形成されている。
【００１８】
溶解炉２０の環状トンネル２２Ａは耐火性炉材２２Ｂによって内張されており、炉内壁にヒータ２２Ｃが一定間隔ごとに設置されている。このヒータ２２Ｃの加熱温度を調整することによって環状トンネル２２Ａの炉内を段階的な温度ブロックに形成することができる。
【００１９】
溶解炉２０は、図２〜図３に示す正面位置に搬入口２２Ｇが設けられており、該搬入口２２Ｇから環状炉内を３／４だけ進行した位置（搬入口２２Ｇに対して２７０度の位置）に搬出口２２Ｈが設けられている。
【００２０】
溶解炉２０の近傍にアーム装置３０が設置されている。該アーム装置３０は回動自在なアームを有しており、該アームの回動範囲内に溶解炉の搬入口と搬出口が位置するように配置されている。図示する装置例では、溶解炉２０に対して装入手段と取出手段とを兼用する一台の上記アーム装置が搬入口と搬出口との近傍に設置されている。
【００２１】
上記アーム装置３０は、台座３１を有し、該台座３１の上に縦方向のアーム（縦アームと云う）３２と、該縦アーム３２の先端に連結された横方向のアーム（横アームと云う）３３とを有している。該縦アーム３２は複数の軸受手段によって台座３１に軸支されており、上下左右に回動自在に形成されている。また、横アーム３３は縦アーム３２の先端に回動自在に連結されている。さらに、該横アーム３３の先端にチャック手段３４が回動自在に軸支されている。該チャック手段３４は開閉自在な爪部材３５を有している。
【００２２】
アーム装置３０の周りには、溶解炉２０の搬入口２２Ｇの近傍に搬入部４０が設置されており、搬出口２２Ｈの近傍に搬出部４１が設置されている。搬入部４０および搬出４１には多数のルツボ４３を並べた台車４２が出入りするように形成されている。
【００２３】
上記装置構成において、搬入部４０の台車３２に向かってアーム装置３０の縦アーム３２および横アーム３３が回動し、横アーム３３のチャック手段３４によって台車４２のルツボ４３を把持し、この状態で縦アーム３２および横アーム３３が溶解炉２０に向かって回動し、ルツボ４３を搬入口２２Ｇから炉内に装入する。
【００２４】
炉内に装入されたルツボは台座２１Ａの炉底部を形成する炉材２１Ｂの上面に設置され、台座２１Ａがチェーン２１Ｃによって回動されることによって、ルツボが環状トンネル２２Ａの炉内を搬出口２２Ｈに向かって移送される。環状トンネル２２Ａの内部は炉内温度が段階的に制御される複数の温度ゾーンに形成されているので、ルツボが環状トンネル炉内を移送される間に最適な温度に加熱され、ルツボ内部の試料が溶解される。
【００２５】
搬出口２２Ｈに到達したルツボはアーム装置によって炉外に取り出される。アーム装置の縦アーム３２および横アーム３３が搬出口２２Ｈに向かって回動し、搬出口２２Ｈのルツボをチャック手段３４によって把持し、この状態で縦アーム３２および横アーム３３が搬出部４１に向かって回動し、搬出部４１で待機している台車４２にルツボ４３を載置する。
【００２６】
上記装置構成によれば、試料を入れた複数のルツボを上記アーム装置によって一定間隔ごとに溶解炉に連続して装入し、ルツボが炉内を通過する間に試料を加熱溶解し、試料が溶解したルツボを上記アーム装置によって連続的に溶解炉から順次取り出して連続溶解を行うことができる。
【００２７】
さらに上記連続溶解において、溶解炉に装入するルツボに、乾式試金分析の試料粉末と共に酸化鉛、硼砂、添加剤および鉄材を入れて炉内に装入し、乾式試金分析の試料を加熱溶融して乾式試金分析を連続的に行うことができる。この試料溶解において、試料に鉄材を添加する場合、アーム装置のアーム先端に装着したチャック手段に電磁石を設けることにより、鉄釘法による試料分析等において、ルツボ内の鉄材を上記電磁石に吸着して自動的に取り出すことができる。
【００２８】
また、炉内を複数の温度制御可能なブロックに分け、乾式試金分析を実施するのに必要なルツボ加熱条件を制御することができる。さらに、上記自動溶解システム全体を排気ドラフトのフード下に設置し、発生ガスを外部に導き、スクラバーなどを経由し洗浄し、除去することにより、作業環境に優れた溶解システムを形成することができる。
【図面の簡単な説明】
【００２９】
【図１】本発明の自動溶解装置の配置図
【図２】本発明の自動溶解装置に用いる溶解炉の平面図
【図３】図２の溶解炉の正面図
【図４】図２の溶解炉の概略部分断面図
【図５】本発明の自動溶解装置に用いるアーム装置の概略図
【図６】図５のアーム装置の平面図
【符号の説明】
【００３０】
２０−溶解炉、２１−炉底部、２１Ａ−台座、２１Ｂ−炉材、２１Ｃ−回動手段（チェーン）、２２−ハウジング部、２２Ａ−環状トンネル、２２Ｂ−炉材、２２Ｃ−ヒータ、２２Ｄ−ハウジング下端部、２２Ｅ−隙間、２２Ｆ−支柱、２２Ｇ−搬入口、２２Ｈ−搬出口、３０−アーム装置、３１−台座、３２−縦アーム、３３−横アーム、３４−チャック手段、４０−搬入部、４１−搬出部、４２−台車、４３−ルツボ。
【図１】
0005494990.tif 000002
【図２】
0005494990.tif 000003
【図３】
0005494990.tif 000004
【図４】
0005494990.tif 000005
【図５】
0005494990.tif 000006
【図６】
0005494990.tif 000007